(57)【要約】【課題】水とスロート部の内壁との間に発生する表面張力が発揮されるのを抑制することができるシャワー装置を提供する。【解決手段】通水路を通過した水を加速させる複数の噴射孔を有するオリフィス部と、オリフィス部より下流側に設けられ、オリフィス部で加速された水の流れが発生させる負圧により、外部へ開設された空気導入口から空気を引き込む空気吸引部と、空気吸引部より下流側に設けられ、オリフィス部で加速された水の流れに空気吸引部で引き込んだ空気を混入させ、空気が混入された水を整流するための複数のスロート孔を有するスロート部と、スロート部より下流側に設けられ、整流された水を吐水する複数の散水孔を有するシャワー吐水部と、を備え、スロート孔において、このスロート孔を流れる水の流れ方向に直交する断面のうち、少なくとも一部の断面を非円形形状で形成することで、スロート孔へ流入した水の表面張力が発揮されるのを抑制する。【選択図】図４
2015098002.tif 000002
【特許請求の範囲】
【請求項１】
施工面に取り付けられる取付位置より上方側に設けられたシャワー装置であって、
給水源から供給された水が流入する通水路と、
前記通水路を通過した水を加速させる複数の噴射孔を有するオリフィス部と、
前記オリフィス部より下流側に設けられ、前記オリフィス部で加速された水の流れが発生させる負圧により、外部へ開設された空気導入口から空気を引き込む空気吸引部と、
前記空気吸引部より下流側に設けられ、前記オリフィス部で加速された水の流れに空気吸引部で引き込んだ空気を混入させ、空気が混入された水を整流するための複数のスロート孔を有するスロート部と、
前記スロート部より下流側に設けられ、整流された水を吐水する複数の散水孔を有するシャワー吐水部と、を備え、
前記スロート孔において、このスロート孔を流れる水の流れ方向に直交する断面のうち、少なくとも一部の断面を非円形形状で形成することで、前記スロート孔へ流入した水の表面張力が発揮されるのを抑制することを特徴とするシャワー装置。
【請求項２】
前記非円形形状は多角形形状であることを特徴とする請求項１に記載のシャワー装置。
【請求項３】
前記多角形形状は四角形形状であることを特徴とする請求項２に記載のシャワー装置。
【請求項４】
施工面に取り付けられる取付位置より上方側に設けられたシャワー装置であって、
給水源から供給された水が流入する通水路と、
前記通水路を通過した水を加速させる複数の噴射孔を有するオリフィス部と、
前記オリフィス部より下流側に設けられ、前記オリフィス部で加速された水の流れが発生させる負圧により、外部へ開設された空気導入口から空気を引き込む空気吸引部と、
前記空気吸引部より下流側に設けられ、前記オリフィス部で加速された水の流れに空気吸引部で引き込んだ空気を混入させ、空気が混入された水を整流するための複数のスロート孔を有するスロート部と、
前記スロート部より下流側に設けられ、整流された水を吐水する複数の散水孔を有するシャワー吐水部と、を備え、
前記スロート孔の上流端に設けられた流入口又は下流端に設けられた流出口には、前記スロート孔を流れる水の流れ方向に直交する面に対して凸設された凸部又は凹設された凹部が形成されていることで、前記スロート孔へ流入した水の表面張力が発揮されるのを抑制することを特徴とするシャワー装置。  
【請求項５】
前記スロート孔の下流端に設けられた流出口には、前記スロート孔を流れる水の流れ方向に直交する面に対して凹設された凹部が形成されていることで、前記スロート孔へ流入した水の表面張力が発揮されるのを抑制することを特徴とする請求項４に記載のシャワー装置。
【発明の詳細な説明】
【技術分野】
【０００１】
本発明は、吐水部に設けた散水孔から水を吐出させるシャワー装置に関するものである。
【背景技術】
【０００２】
従来のシャワー装置の一例として、例えば特許３４６２３９８号公報（特許文献１）のように、シャワー装置本体内部に噴流を生み出すオリフィス部を配置することでベンチュリ効果を発生させ、オリフィス部から吐出された水にエア吸入口から取り入れた空気を気泡として混入させ、気泡が混入された水を外部に吐水させる空気混入機構を備えているものが知られている。このようなエアイン機構では、オリフィス部と水を外部に吐水させる複数の散水孔が備わっているシャワー吐水部とが直列に配置されている場合において、水に混入された気泡を均一に整えるために、オリフィス部とシャワー吐水部との間にスロート部という空間を設けることが有効であることが知られている。
【０００３】
【特許文献１】特許３４６２３９８号公報
【発明の開示】
【発明が解決しようとする課題】
【０００４】
しかし、このようなシャワー装置において、スロート部を設けることで水とシャワー装置本体内部との接触面が多くなり水が多く溜まりやすくなるため、止水時にスロート部より下流側の水を排出させるための時間を要してしまう。スロート部に溜まった水を素早く排出させるためには、散水孔から水を効率よく排出させることが必要であるが、水とスロート部の内壁との間に発生する表面張力により、散水孔からスロート部より下流側の水を全て排出するのに時間が掛かってしまうという課題が存在した。
【０００５】
そこで、本発明は、上述した課題を解決するためになされたものであり、水とスロート部の内壁との間に発生する表面張力が発揮されるのを抑制することができるシャワー装置を提供することを目的としている。
【課題を解決するための手段】
【０００６】
上述した目的を達成するために、本発明は、施工面に取り付けられる取付位置より上方側に設けられたシャワー装置であって、給水源から供給された水が流入する通水路と、前記通水路を通過した水を加速させる複数の噴射孔を有するオリフィス部と、前記オリフィス部より下流側に設けられ、前記オリフィス部で加速された水の流れが発生させる負圧により、外部へ開設された空気導入口から空気を引き込む空気吸引部と、前記空気吸引部より下流側に設けられ、前記オリフィス部で加速された水の流れに空気吸引部で引き込んだ空気を混入させ、空気が混入された水を整流するための複数のスロート孔を有するスロート部と、前記スロート部より下流側に設けられ、整流された水を吐水する複数の散水孔を有するシャワー吐水部と、を備え、前記スロート孔において、このスロート孔を流れる水の流れ方向に直交する断面のうち、少なくとも一部の断面を非円形形状で形成することで、前記スロート孔へ流入した水の表面張力が発揮されるのを抑制することを特徴としている。
【０００７】
このように構成された本発明においては、スロート孔を非円形形状にすることで、円形形状のときと比べスロート孔に流入する水の表面張力が発揮されるのを抑制するため、水を止水したときのスロート部内の残水排出を促進させることができる。
【０００８】
本発明において、好ましくは、前記非円形形状は多角形形状であるように構成されている。
【０００９】
このように構成された本発明においては、スロート孔を多角形形状で形成することで、円形形状のときと比べスロート孔に流入する水の表面張力が発揮されるのを抑制するため、水を止水したときのスロート部内の残水排出を促進させることができる。また、スロート孔形状を加工するだけなので、成形が簡単である。
【００１０】
本発明において、好ましくは、前記多角形形状は四角形形状であるように構成されている。
【００１１】
このように構成された本発明においては、スロート孔を四角形形状で形成することで、円形形状のときと比べスロート孔に流入する水の表面張力が発揮されるのを抑制するため、水を止水したときのスロート部内の残水排出を促進させることができる。また、スロート孔形状を四角形に加工するだけなので、他の多角形形状に比べ、成形がより簡単である。
【００１２】
また、本発明は、施工面に取り付けられる取付位置より上方側に設けられたシャワー装置であって、給水源から供給された水が流入する通水路と、前記通水路を通過した水を加速させる複数の噴射孔を有するオリフィス部と、前記オリフィス部より下流側に設けられ、前記オリフィス部で加速された水の流れが発生させる負圧により、外部へ開設された空気導入口から空気を引き込む空気吸引部と、前記空気吸引部より下流側に設けられ、前記オリフィス部で加速された水の流れに空気吸引部で引き込んだ空気を混入させ、空気が混入された水を整流するための複数のスロート孔を有するスロート部と、前記スロート部より下流側に設けられ、整流された水を吐水する複数の散水孔を有するシャワー吐水部と、を備え、前記スロート孔の上流端に設けられた流入口又は下流端に設けられた流出口には、前記スロート孔を流れる水の流れ方向に直交する面に対して凸設された凸部又は凹設された凹部が形成されていることで、前記スロート孔へ流入した水の表面張力が発揮されるのを抑制することを特徴としている。
【００１３】
このように構成された本発明においては、スロート孔の上流端に設けられた流入口又は下流端に設けられた流出口には、スロート孔を流れる水の流れ方向に直交する面に対して凸設された凸部又は凹設された凹部が形成されていることで、スロート孔に流入する水の表面張力が発揮されるのを抑制するため、水を止水したときのスロート部内の残水排出を促進させることができる。
【００１４】
本発明において、好ましくは、前記スロート孔の下流端に設けられた流出口には、前記スロート孔を流れる水の流れ方向に直交する面に対して凹設された凹部が形成されていることで、前記スロート孔へ流入した水の表面張力が発揮されるのを抑制するように構成されている。
【００１５】
このように構成された本発明においては、スロート孔の下流端に設けられた流出口には、スロート孔を流れる水の流れ方向に直交する面に対して凹設された凹部が形成されていることで、スロート孔に流入する水の表面張力が発揮されるのを抑制するため、水を止水したときのスロート部内の残水排出を促進させることができる。また、凸設された凸部を設ける場合と比べ、省スペースでスロート部内の残水排出を促進させることができる。さらに、流入口に設ける場合と比べ、水を吐水する際に空気混入を低下させてしまうことを防ぐ。
【発明の効果】
【００１６】
本発明のシャワー装置によれば、水とスロート部の内壁との間に発生する表面張力が発揮されるのを抑制することができる。
【図面の簡単な説明】
【００１７】
【図１】本発明の一実施形態に係るシャワー装置がキッチン用のシンクに取り付けられた状態を表す模式図である。
【図２】図１のシャワー装置におけるスパウト部の断面図である。
【図３】図２のスパウト部に設けられたシャワー吐水部近傍を表す模式図である。
【図４】図２のスパウト部におけるスロート部を表す斜視図である。
【図５】図４のスロート部におけるＡ−Ａ線断面図である。
【発明を実施するための最良の形態】
【００１８】
以下、添付図面を参照しながら本発明の実施の形態について説明する。理解を容易にするため、各図面において同一の構成要素に対しては可能な限り同一の符号を付し、重複する説明は省略する。
【００１９】
まず、図１を参照して、本発明の一実施形態に係るシャワー装置の使用状態を説明する。図１は、本発明の一実施形態に係るシャワー装置がキッチン用のシンクに取り付けられた状態を表す模式図である。
【００２０】
シンク２０は、シンク上面２２と、シンク底面２４と、を有している。なお、シンク２０は、シンク上面２２の左方側および右方側の少なくともいずれかに延在する調理台（図示せず）を有していてもよい。
【００２１】
シャワー装置１は、使用者から見てシンク２０の後方で且つシンク上面２２に設けられ、シンク上面２２に取り付けられる取付部３０と、その取付部３０よりも上方側に設けられるスパウト部４０を有している。取付部３０はシンク上面２２に対して略垂直に設けられているが、スパウト部４０は使用者のいる前方に傾斜するように上方に向けて延設されている。この傾斜角度は、シンク上面２２に対して例えば約６０度程度である。但し、この傾斜角度は、適宜変更することができる。
【００２２】
取付部３０の側面部には、操作レバー３２が設けられている。操作レバー３２は、取付部３０に回動自在に枢支されており、使用者は、この操作レバー３２を前後方向や左右方向に回動させることにより、取付部３０に内蔵されるバルブ（図示せず）を動作させ、シャワー装置１の止水状態と吐水状態の切換えや、供給する水の流量・温度等の調整を行うことができる。
【００２３】
スパウト部４０の前方側の外側面には、整流吐水部４０ｒと、シャワー吐水部４０ｓが設けられている。スパウト部４０の前方側の外側面は、シンク上面２２およびシンク底面２４に対して傾斜しているため、そこに設けられる整流吐水部４０ｒとシャワー吐水部４０ｓから吐出される水は、いずれもシンク上面２２およびシンク底面２４に対して斜めに吐水される。なお、本願明細書において「水」という場合には、「湯」も含むものとする。
【００２４】
次に、図２を参照して、本発明の一実施形態に係るシャワー装置のスパウト部４０について説明する。図２は、図１のシャワー装置におけるスパウト部の断面図である。
【００２５】
スパウト部４０は、その外形が略円柱形を呈するスパウト部本体４１０を有している。スパウト部本体４１０の内部には、スパウト部４０の延設方向に沿って斜め上方に延びる通水路４１１が設けられており、上流から供給される水は通水路４１１の内部を流れて斜め上方へと導かれる。
【００２６】
通水路４１１の下流側端部であって、スパウト部本体４１０内部の上端には、通水路４１１を流れた水を受け入れる空間である切替室４１３が形成されている。また、切替室４１３の下流側には、整流用流路４１４とシャワー用流路４１５が切替室４１３と連通するよう設けられている。整流用流路４１４はシンク２０側に向けて延び、シャワー用流路４１５はスパウト部４０が延設する方向に沿って斜め下方に延びる。
【００２７】
切替室４１３内には切替バルブ（図示せず）が配置されており、切替室４１３内から流出する水を整流用流路４１４とシャワー用流路４１５のいずれか一方に導くよう、使用者の操作によって選択できるよう構成されている。
【００２８】
切替バルブが切替室４１３内の水を整流用流路４１４に導くよう設定されている場合、その水は矢印Ｗ３のように整流用流路４１４内に配置されたメッシュ状の整流網４１９を通過し、さらに、整流吐水部４０ｒから矢印Ｗ４のように下方のシンク２０（図１参照）に向けて供給される。このとき供給される整流Ｗｒは、単一の水流となる。
【００２９】
一方、切替バルブが、切替室４１３内の水をシャワー用流路４１５に導くよう設定されている場合、矢印Ｗ５のようにシャワー用流路４１５内に流入した水は、その下流に配置されているオリフィス部４２０に至る。オリフィス部４２０は、スパウト部４０が延設する方向に沿って延びる薄板状の部材であり、複数の噴射孔４２１がその厚み方向に貫通するよう形成されている。オリフィス部４２０に到達した水は、複数の噴射孔４２１を通過することでその流速が高められ、複数の噴射水流として下流側に噴射される。
【００３０】
オリフィス部４２０の下流側には、オリフィス部４２０と所定間隔を空けてスロート部４４０が配置されている。スロート部４４０は、オリフィス部４２０の複数の噴射孔４２１と対応する位置にスロート孔４４１が複数形成されている。このため、複数の噴射孔４２１から噴射された噴射水流は、各々の下流側に設けられたスロート孔４４１の上端からその内部を通過して、スロート部４４０の下端に至る。
【００３１】
ここで、スパウト部本体４１０の前方側の外側面には、空気導入口４１６が開設されている。さらに、スパウト部本体４１０の内部には、この空気導入口４１６からスパウト部本体４１０の中央部に向けて延び、さらにスパウト部４０が延設する方向に沿って斜め上方へと延びるようにして、空気導入路４１７が形成されている。そしてこの空気導入路４１７は、オリフィス部４２０とスロート部４４０との間に形成された空間である空気吸引部４３０に連通している。
【００３２】
これにより、複数の噴射孔４２１から噴射された噴射水流が空気吸引部４３０を通過する際、それに伴って発生する負圧により、空気導入口４１６及び空気導入路４１７を介して空気吸引部４３０内に空気が吸引される。吸引されたこの空気は、噴射水流とともに複数のスロート孔４４１を通過し、スロート部４４０の下流側に至る。
【００３３】
スロート部４４０の内部の空間には、空気混入部４４８が形成され、この空気混入部４４８の下流側には、空気混入部４４８よりも大きな空間である気泡拡大部４５０が形成されており、この気泡拡大部４５０の下流側を覆うようにしてシャワー吐水部４６０が配置されている。シャワー吐水部４６０は、スパウト部４０が延設する方向に沿って延びる板状部材であり、シャワー吐水部４０ｓを構成している。また、シャワー吐水部４６０には、複数の散水孔４６１が厚み方向に貫通するよう形成されている。散水孔４６１の断面形状は、噴射孔４２１よりも径が小さい略円形である。
【００３４】
空気吸引部４３０内に吸引された空気とともに複数のスロート孔４４１を通過する噴射水流は、後に詳述するように、空気混入部４４８において空気が混入される。空気は気泡となって噴射水流に混入し、スロート部４４０のスロート孔４４１内で単位体積当たりの噴射水流に含まれる気泡の量が整えられ、整流される。整流された噴射水流は、気泡拡大部４５０において減圧され、径の大きな気泡になる。この気泡交じりの水である気泡混入水が、複数の散水孔４６１の各々を通過し、矢印Ｗ６で示すように、複数の水流となってスパウト部本体４１０の外部に吐出される。これら複数の水流からなるシャワー水流が、シンク２０（図１参照）に向けて供給される。
【００３５】
次に、図３を参照して、本発明の一実施形態に係るシャワー装置における空気混入について説明する。図３は、図２のスパウト部に設けられたシャワー吐水部近傍を表す模式図である。
【００３６】
スパウト部本体４１０内部のシャワー用流路４１５を流れてオリフィス部４２０に到達した水は、図３に表すように、噴射孔４２１ａ〜４２１ｃを通過し、オリフィス部４２０の下流側にそれぞれ噴射水流Ｊとして噴射される。噴射孔４２１ａ〜４２１ｃは、互いに略平行にオリフィス部４２０を貫通していることから、そこを通過した噴射水流Ｊも略平行に噴射される。また、噴射孔４２１ａ〜４２１ｃは、各々から噴射される噴射水流Ｊが、いずれもシャワー吐水部４６０の異なる位置に衝突するよう配置されている。このような構成にすることで、所定時間、噴射水流Ｊをシャワー吐水部４６０の上流側で滞留させ、後に詳述するように、噴射水流Ｊ内の気泡混入水を攪拌させることができる。
【００３７】
噴射水流Ｊが、オリフィス部４２０とスロート部４４０との間に設けられた空気吸引部４３０を通過する際、それに伴って空気吸引部４３０内に負圧が発生する（空気吸引部４３０内が陰圧となる）。このため、いわゆるエジェクタ作用により、矢印Ａ１で示すようにオリフィス部４２０に沿って空気吸引部４３０内に空気が吸引される。この空気は、空気導入口４１６及び空気導入路４１７（図２参照）を介して、スパウト部本体４１０の外部から吸引されたものである。
【００３８】
空気吸引部４３０内に吸引された空気は、噴射水流Ｊによってさらに引き込まれ、その流れる方向を変え（矢印Ａ２）、噴射水流Ｊとともにスロート孔４４１ａ〜４４１ｃに流入する。その後、噴射水流Ｊは、スロート部４４０のスロート孔４４１内を通過することで、単位体積当たりの噴射水流Ｊに含まれる気泡の量が整えられ、整流される。
【００３９】
上述したように、噴射孔４２１ａ〜４２１ｃの断面形状は、散水孔４６１よりも径が大きい略円形とされている。したがって、噴射孔４２１ａ〜４２１ｃから噴射された噴射水流Ｊの断面形状も、散水孔４６１よりも径が大きい略円形となる。このため、噴射水流Ｊの一部の水は、噴射孔４２１ａ〜４２１ｃのそれぞれと重合配置された散水孔４６１ａ〜４６１ｃを矢印Ｗｓａ〜Ｗｓｃのように通過するものの、その他の水はシャワー吐水部４６０と干渉し、散水孔４６１ａ〜４６１ｃを直接通過できない。シャワー吐水部４６０の上流側には、通過できなかったこの噴射水流が一時的に滞留する（滞留水Ｗｓｔ）。
【００４０】
噴射孔４２１ａ〜４２１ｃにおける噴射水流Ｊの噴射を開始して所定時間が経過すると、滞留水Ｗｓｔの水位が上昇し、その気液界面Ｗｓｔ１はスロート孔４４１ａ〜４４１ｃ内部まで侵入する。このため、噴射水流Ｊは、スロート孔４４１ａ〜４４１ｃの内部において、滞留水Ｗｓｔの気液界面Ｗｓｔ１に突入する。噴射水流Ｊの突入によって気液界面Ｗｓｔ１は大きく乱れ、矢印Ａ３で示すように、気液界面Ｗｓｔ１上の空気が内部に巻き込まれる。滞留水Ｗｓｔ内部に巻き込まれた空気は気泡状となることで、滞留水Ｗｓｔが気泡混入水となる。
【００４１】
噴射水流Ｊが突入することにより、シャワー吐水部４６０の複数の散水孔４６１の近傍で、気泡混入水が攪拌される。この攪拌により、気泡混入水中の気泡の結合又は分裂が促され、種々の大きさの気泡が生成される。このため、複数の散水孔４６１から、種々の大きさの気泡が混入された気泡混入水が吐出される。このようにして複数の散水孔４６１から吐出する水に気泡を混入することで、吐出される水流の流速を変動させて使用者が受ける刺激感を高めたり、水を泡沫状にして量感を高めたりすることができる。
【００４２】
次に、図４、５を参照して、本発明の一実施形態に係るスロート部４４０における表面張力抑制手段について説明する。図４は、図２のスパウト部におけるスロート部を表す斜視図である。図５は、図４のスロート部におけるＡ−Ａ線断面図である。
【００４３】
図４に示すように、スロート部４４０には、スロート孔４４１が設けられており、空気吸引部４３０内に吸引された空気とともに複数のスロート孔４４１を通過する噴射水流は、空気混入部４４８において空気を混入される。このスロート孔４４１の、スロート孔４４１を流れる水の流れ方向に直交する断面が、四角形形状に成形されている。このような形状に成形することで、スロート孔４４１の断面が、円形形状のものと比べ不連続となっており、水の液面がスロート部４４０の内壁を下降していく速度に差が生じるため、水膜形成が不安定になり表面張力が発揮されるのを抑制できる。その結果、水を止水したときのスロート部４４０内の残水を短時間で排出させることができる。
【００４４】
本発明の一実施形態においては、スロート孔４４１の断面を四角形形状に成形しているが、それに限らず、非円形形状ならばどのような形状でも本権利範囲に含まれる。ここでいう非円形形状とは、ある点からの距離が等しい点の集合でできる曲線である円以外の形状を指し、楕円形状なども含まれる。もちろん、四角形形状ではなく、他の多角形形状に成形しても良いが、四角形形状に加工する方が、他の多角形形状のものと比べ、構造が単純であり、成形が簡単である。
【００４５】
また、図４に示すように、スロート孔４４１の四角形形状は、四角形の各辺が空気の吸引方向である矢印Ａ１と平行又は垂直になっておらず、それぞれ矢印Ａ１に対して約４５度に傾斜している。このような構成にすることで、各スロート孔４４１間の距離を、各スロート孔４４１同士が隣接する角の部分を除き、広くとることができるので、スロート孔４４１を強固に成形することができる。
【００４６】
図５に示すように、各スロート孔４４１の下流端に設けられた流出口４８０には、スロート孔４４１を流れる水の流れ方向に直交する面に対して凹設された凹部４９０が形成されている。このような構成にすることで、止水後に水がスロート孔４４１から流出する際に、液面がさらに複雑な内壁形状に沿いながら下降していくため、より下降速度に差が生じやすくなり、水膜形成しにくくなるため、表面張力が発揮されるのを抑制できる。加えて、凹部４９０は、流れ方向と直交する面に対して凹設されており、液面が水平に下降しようとするならば、液面面積は凹部４９０を通過する前後で拡大する方向に変化する。一方で、表面張力の効果から液面は最小面積を保とうとするため、液面は水平を保つことはできない。液面が水平面に傾斜する方向に傾くと水の自重により、水膜形成が不安定になるため、表面張力が発揮されるのをより顕著に抑制することができる。その結果、水を止水したときのスロート孔４４１内の残水排出を促進させることができる。
【００４７】
本発明の一実施形態においては、各スロート孔４４１の下流端に設けられた流出口４８０に凹部４９０が形成されているが、それに限らず、各スロート孔４４１の上流端に設けられた流入口４７０に凹部４９０が形成されても良い。しかし、流入口４７０に凹部４９０を形成すると、吐水時に空気を吸引する際にエジェクタ作用が生じにくくなり、負圧が発生しにくくなってしまう。よって、流出口４８０に凹部４９０を形成する方が、空気吸引部４３０の大きさを変形させることがなく、吐水時に空気を吸引する際に、水に混入される空気の混入量を低下させてしまうことを防ぐことができる。
【００４８】
また、本発明の一実施形態においては、各スロート孔４４１の下流端に設けられた流出口４８０には、スロート孔４４１を流れる水の流れ方向に直交する面に対して凹設された凹部４９０が形成されているが、それに限らず、スロート孔４４１を流れる水の流れ方向に直交する面に対して凸設された凸部５００（図示せず）が形成されても良い。しかし、凹部４９０を形成する方が、スロート部４４０を大きく成形させる必要がないため、省スペースでスロート部内の残水排出を促進させることができる。
【００４９】
以上より、上述した本発明の一実施形態のシャワー装置１によれば、水とスロート部４４０の内壁との間に発生する表面張力が発揮されるのを抑制することができる。
【符号の説明】
【００５０】
１        シャワー装置
２０      シンク
２２      シンク上面
２４      シンク底面
３０      取付部
３２      操作レバー
４０      スパウト部
４０ｒ    整流吐水部
４０ｓ    シャワー吐水部
４１０    スパウト部本体
４１１    通水路
４１３    切替室
４１４    整流用流路
４１５    シャワー用流路
４１６    空気導入口
４１７    空気導入路
４１９    整流網
４２０    オリフィス部
４２１、４２１ａ、４２１ｂ、４２１ｃ    噴射孔
４３０    空気吸引部
４４０    スロート部
４４１、４４１ａ、４４１ｂ、４４１ｃ    スロート孔
４４８    空気混入部
４５０    気泡拡大部
４６０    シャワー吐水部
４６１、４６１ａ、４６１ｂ、４６１ｃ    散水孔
４７０    流入口
４８０    流出口
４９０    凹部
５００    凸部
【図４】
2015098002.tif 000003
【図５】
2015098002.tif 000004
【図１】
2015098002.tif 000005
【図２】
2015098002.tif 000006
【図３】
2015098002.tif 000007
【手続補正書】
【提出日】平成27年1月14日(2015.1.14)
【手続補正１】
【補正対象書類名】特許請求の範囲
【補正対象項目名】請求項４
【補正方法】変更
【補正の内容】
【請求項４】
施工面に取り付けられる取付位置より上方側に設けられたシャワー装置であって、
給水源から供給された水が流入する通水路と、
前記通水路を通過した水を加速させる複数の噴射孔を有するオリフィス部と、
前記オリフィス部より下流側に設けられ、前記オリフィス部で加速された水の流れが発生させる負圧により、外部へ開設された空気導入口から空気を引き込む空気吸引部と、
前記空気吸引部より下流側に設けられ、前記オリフィス部で加速された水の流れに空気吸引部で引き込んだ空気を混入させ、空気が混入された水を整流するための複数のスロート孔を有するスロート部と、
前記スロート部より下流側に設けられ、整流された水を吐水する複数の散水孔を有するシャワー吐水部と、を備え、
前記スロート孔の上流端に設けられた流入口又は下流端に設けられた流出口を確定するスロート部の壁の一部には、前記スロート孔を流れる水の流れ方向に直交する面に対して前記流入口又は前記流出口から前記スロート孔の外部方向へ凸設された凸部又は前記流入口又は前記流出口から前記スロート孔の内部方向へ凹設された凹部が形成されていることで、前記スロート孔へ流入した水の表面張力が発揮されるのを抑制することを特徴とするシャワー装置。
【手続補正２】
【補正対象書類名】特許請求の範囲
【補正対象項目名】請求項５
【補正方法】変更
【補正の内容】
【請求項５】
前記スロート孔の下流端に設けられた流出口を確定するスロート部の壁の一部には、前記スロート孔を流れる水の流れ方向に直交する面に対して前記流入口又は前記流出口から前記スロート孔の内部方向へ凹設された凹部が形成されていることで、前記スロート孔へ流入した水の表面張力が発揮されるのを抑制することを特徴とする請求項４に記載のシャワー装置。
【手続補正３】
【補正対象書類名】明細書
【補正対象項目名】００１２
【補正方法】変更
【補正の内容】
【００１２】
また、本発明は、施工面に取り付けられる取付位置より上方側に設けられたシャワー装置であって、給水源から供給された水が流入する通水路と、前記通水路を通過した水を加速させる複数の噴射孔を有するオリフィス部と、前記オリフィス部より下流側に設けられ、前記オリフィス部で加速された水の流れが発生させる負圧により、外部へ開設された空気導入口から空気を引き込む空気吸引部と、前記空気吸引部より下流側に設けられ、前記オリフィス部で加速された水の流れに空気吸引部で引き込んだ空気を混入させ、空気が混入された水を整流するための複数のスロート孔を有するスロート部と、前記スロート部より下流側に設けられ、整流された水を吐水する複数の散水孔を有するシャワー吐水部と、を備え、前記スロート孔の上流端に設けられた流入口又は下流端に設けられた流出口を確定するスロート部の壁の一部には、前記スロート孔を流れる水の流れ方向に直交する面に対して前記流入口又は前記流出口から前記スロート孔の外部方向へ凸設された凸部又は前記流入口又は前記流出口から前記スロート孔の内部方向へ凹設された凹部が形成されていることで、前記スロート孔へ流入した水の表面張力が発揮されるのを抑制することを特徴としている。
【手続補正４】
【補正対象書類名】明細書
【補正対象項目名】００１４
【補正方法】変更
【補正の内容】
【００１４】
本発明において、好ましくは、前記スロート孔の下流端に設けられた流出口を確定するスロート部の壁の一部には、前記スロート孔を流れる水の流れ方向に直交する面に対して前記流入口又は前記流出口から前記スロート孔の内部方向へ凹設された凹部が形成されていることで、前記スロート孔へ流入した水の表面張力が発揮されるのを抑制するように構成されている。
【手続補正書】
【提出日】平成27年3月30日(2015.3.30)
【手続補正１】
【補正対象書類名】特許請求の範囲
【補正対象項目名】請求項５
【補正方法】変更
【補正の内容】
【請求項５】
前記スロート孔の下流端に設けられた流出口を確定するスロート部の壁の一部には、前記スロート孔を流れる水の流れ方向に直交する面に対して前記流出口から前記スロート孔の内部方向へ凹設された凹部が形成されていることで、前記スロート孔へ流入した水の表面張力が発揮されるのを抑制することを特徴とする請求項４に記載のシャワー装置。
【手続補正２】
【補正対象書類名】明細書
【補正対象項目名】００１４
【補正方法】変更
【補正の内容】
【００１４】
本発明において、好ましくは、前記スロート孔の下流端に設けられた流出口を確定するスロート部の壁の一部には、前記スロート孔を流れる水の流れ方向に直交する面に対して前記流出口から前記スロート孔の内部方向へ凹設された凹部が形成されていることで、前記スロート孔へ流入した水の表面張力が発揮されるのを抑制するように構成されている。